(57)【要約】【課題】  娯楽性が高いランキングを提供することが可能なカラオケ装置を得る。【解決手段】  歌唱者の音声信号を採点する採点部１０２と、採点結果に基づいて、撮像装置２５により上位の歌唱者の写真撮影を行う撮影処理部１０３と、上位の歌唱者の得点と写真を含むランキングデータを曲毎に生成するランキングデータ生成部１０４と、ランキング集計サーバ２００から、複数のカラオケ装置から送信されたランキングデータを集計して得られた集計ランキングデータを受信する受信部２０４と、集計ランキングデータを基に、全国での上位ランキング者の得点と写真を含むランキングデータを曲毎に生成する全国ランキングデータ生成部１０６と、全国ランキングデータをランキング集計サーバ２００に送信する送信部１０８と、上位ランキング者の得点と写真をモニタ２４に出力するランキングデータ出力部１１０を備える。【選択図】  図２
2006337964.tif 000002
【特許請求の範囲】
【請求項１】
記録媒体に記録されたカラオケ用の演奏データの中から、指定された曲の演奏データを再生する演奏データ再生部と、
マイクロフォンを介して前記演奏データに合わせて入力される歌唱者の音声信号に基づいて歌唱力を採点し、得点を出力する採点部と、
撮影対象の画像を取得し、画像データを出力する撮像装置と、
前記採点部によって出力された得点が一定以上の得点圏に入る場合には、前記撮像装置により歌唱者の画像の取得を行う撮影処理部と、
一定以上の得点圏の歌唱者の得点と前記画像データを含むランキングデータを曲毎に生成するランキングデータ生成部と、
通信回線を介して接続されたランキング集計サーバから、複数のカラオケ装置から送信されたランキングデータを集計して得られた集計ランキングデータを受信する受信部と、
前記集計ランキングデータを基に、全国で一定以上の得点圏内にある歌唱者の得点と前記画像データを含むランキングデータを曲毎に生成する全国ランキングデータ生成部と、
前記全国ランキングデータを前記ランキング集計サーバに送信する送信部と、
前記ランキングデータおよび前記全国ランキングデータに基づいて、上位ランキング者の得点と前記画像データを表示装置に出力するランキングデータ出力部を備えたカラオケ装置。
【請求項２】
前記撮影処理部は、歌唱者の画像データの取得を行う前に画像データの公開に同意するか否かの指定入力を受け、
同意する旨の入力を受けた場合にのみ画像データの取得を行う請求項１記載のカラオケ装置。
【請求項３】
前記ランキングデータ生成部は、前記撮影処理部によって歌唱者の画像データの取得が行われなかった場合には、キャラクタ画像を画像データとして用いる請求項２記載のカラオケ装置。
【請求項４】
前記ランキングデータ生成部は、複数の前記キャラクタ画像の中から、演奏した曲の歌手情報、ジャンル情報の少なくとも１つに基づいて１つを選択する請求項３記載のカラオケ装置。
【請求項５】
前記ランキングデータ生成部は、利用者が入力手段を介して入力した情報に基づいて前記キャラクタ画像を作成する請求項３記載のカラオケ装置。
【請求項６】
前記ランキングデータ生成部は、前記撮影処理部によって歌唱者の画像データの取得が行われなかった場合には、外部から入力された画像を画像データとして用いる請求項２記載のカラオケ装置。
【請求項７】
前記撮影処理部は、歌唱者の画像データに演奏曲に応じた加工処理を施す請求項１記載のカラオケ装置。
【請求項８】
前記送信部は、前記全国ランキングデータに含まれるデータのうち、前記集計ランキングデータに含まれないデータのみを前記ランキング集計サーバに送信する請求項１記載のカラオケ装置。
【請求項９】
コンピュータをカラオケ装置として機能させるプログラムであって、前記コンピュータを、
記録媒体に記録されたカラオケ用の演奏データの中から、指定された曲の演奏データを再生する演奏データ再生手段、
マイクロフォンを介して前記演奏データに合わせて入力される歌唱者の音声信号に基づいて歌唱力を採点し、得点を出力する採点手段、
前記採点部によって出力された得点が一定以上の得点圏に入る場合には、撮像装置により歌唱者の画像の取得を行う撮影処理手段、
一定以上の得点圏の歌唱者の得点と前記画像データを含むランキングデータを曲毎に生成するランキングデータ生成手段、
通信回線を介して接続されたランキング集計サーバから、複数のカラオケ装置から送信されたランキングデータを集計して得られた集計ランキングデータを受信する受信手段、
前記集計ランキングデータを基に、全国で一定以上の得点圏内にある歌唱者の得点と前記撮像装置により撮影した写真を含むランキングデータを曲毎に生成する全国ランキングデータ生成手段、
前記全国ランキングデータを前記ランキング集計サーバに送信する送信手段、
前記ランキングデータおよび前記全国ランキングデータに基づいて、上位ランキング者の得点と前記画像データを表示装置に出力するランキングデータ出力手段として機能させるプログラム。
【請求項１０】
前記撮影処理手段は、歌唱者の画像データの取得を行う前に画像データの公開に同意するか否かの指定入力を受け、
撮影に同意する旨の入力を受けた場合にのみ画像データの取得を行う請求項９記載のプログラム。
【請求項１１】
前記ランキングデータ生成手段は、前記撮影処理手段によって歌唱者の画像データの取得が行われなかった場合には、キャラクタ画像を画像データとして用いる請求項１０記載のプログラム。
【請求項１２】
前記ランキングデータ生成手段は、複数の前記キャラクタ画像の中から、演奏した曲の歌手情報、ジャンル情報の少なくとも１つに基づいて１つを選択する請求項１１記載のプログラム。
【請求項１３】
前記ランキングデータ生成手段は、利用者が入力手段を介して入力した情報に基づいて前記キャラクタ画像を作成する請求項１１記載のプログラム。
【請求項１４】
前記ランキングデータ生成手段は、前記撮影処理手段によって歌唱者の画像データの取得が行われなかった場合には、外部から入力された画像を画像データとして用いる請求項１０記載のプログラム。
【請求項１５】
前記撮影処理手段は、歌唱者の画像データに演奏曲に応じた加工処理を施す請求項９記載のプログラム。
【請求項１６】
前記送信手段は、前記全国ランキングデータに含まれるデータのうち、前記集計ランキングデータに含まれないデータのみを前記ランキング集計サーバに送信し、
前記受信手段は、前記ランキング集計サーバから、前記集計ランキングデータのうち、新たにランキングに加わったデータで、かつ自装置から送信されたデータ以外のデータを受信する請求項９記載のプログラム。
【請求項１７】
通信回線を介して接続された複数のカラオケ装置からランキングデータを受信する受信部と、
各々のカラオケ装置から送信された全国ランキングデータを曲毎に集計して集計ランキングデータを出力する集計データ生成部と、
前記集計データ生成部によって生成された集計ランキングデータのうち、新たにランキングに加わったデータを抽出する送信データ抽出部と、
前記送信データ抽出部で抽出されたデータを、当該データを送信したカラオケ装置以外のカラオケ装置に送信する送信部を備えたランキング集計サーバ。
【請求項１８】
前記集計ランキングデータを基に、ウェブサイトで公開可能な形式の、画像データ入りランキングファイルを作成する手段を備えた請求項１７記載のランキング集計サーバ。
【発明の詳細な説明】
【技術分野】
【０００１】
本発明は、カラオケ装置、プログラム、およびランキング集計サーバに関する。
【背景技術】
【０００２】
カラオケは、カラオケボックスや家庭用カラオケなどで幅広く楽しまれている。カラオケ装置では、歌い終わったときにその人の歌唱力の採点結果をディスプレイに表示する採点機能を備えたものが一般的になっている。これは、音程や声量が適切な値にどれだけ近いかをコンピュータにより判断し、数値化するものであり、このような機能を備えたカラオケ装置では自分の歌唱力と他人の歌唱力との客観的な比較が可能となるのでより興味を増すことになる。
【０００３】
例えば特許文献１に開示されたカラオケ装置では、各カラオケ装置内の採点結果情報だけでなく、ネットワークで接続された全カラオケ装置における採点結果情報が各カラオケ装置に提供される。また、採点基準は曲によって異なることが一般的であることから、曲目ごとの採点結果を表示する機能も有する。
【特許文献１】特許第３５５３５６９号公報
【発明の開示】
【発明が解決しようとする課題】
【０００４】
採点結果を表示する際、最高得点を出した歌い手の顔写真などが表示されると、カラオケの対戦ゲームとしての娯楽性が向上する。しかし全国採点を行うカラオケ装置ではそのような機能は実現されていなかった。
【０００５】
また、ネットワークで接続された全国のカラオケ装置全体での順位を顔写真入りで表示するためには、各カラオケ装置からランキング集計サーバへ装置毎の採点結果を送信し、ランキング集計サーバから各カラオケ装置へ全国での集計結果を送信する必要がある。ここで、曲目毎に採点結果を表示させる場合には、曲目毎の結果を送受信する必要がありデータ量が多量になる。また、高得点を取得した歌唱者の写真等の付加情報が加わると、各カラオケ装置とランキング集計サーバ間の通信量はさらに膨大になる。
【０００６】
本発明の目的は、娯楽性が高いランキングを提供することが可能なカラオケ装置、プログラム、およびランキング集計サーバを得ることである。
【課題を解決するための手段】
【０００７】
上記目的を達成するため本発明のカラオケ装置は、記録媒体に記録されたカラオケ用の演奏データの中から、指定された曲の演奏データを再生する演奏データ再生部と、マイクロフォンを介して上記演奏データに合わせて入力される歌唱者の音声信号に基づいて歌唱力を採点し、得点を出力する採点部と、撮影対象の画像を取得し、画像データを出力する撮像装置と、上記採点部によって出力された得点が一定以上の得点圏に入る場合には、上記撮像装置により歌唱者の画像の取得を行う撮影処理部と、一定以上の得点圏の歌唱者の得点と上記画像データを含むランキングデータを曲毎に生成するランキングデータ生成部と、通信回線を介して接続されたランキング集計サーバから、複数のカラオケ装置から送信されたランキングデータを集計して得られた集計ランキングデータを受信する受信部と、上記集計ランキングデータを基に、全国で一定以上の得点圏内にある歌唱者の得点と上記画像データを含むランキングデータを曲毎に生成する全国ランキングデータ生成部と、上記全国ランキングデータを上記ランキング集計サーバに送信する送信部と、上記ランキングデータおよび上記全国ランキングデータに基づいて、上位ランキング者の得点と上記画像データを表示装置に出力するランキングデータ出力部を備える。
これにより、採点結果を表示する際、最高得点を出した歌い手の顔写真などが表示されてカラオケの対戦ゲームとしての娯楽性が向上する。
【０００８】
また、上記撮影処理部が、歌唱者の画像データに演奏曲に応じた加工処理を施すようにすれば、より娯楽性が向上する。
【０００９】
また、上記撮影処理部は、歌唱者の画像データの取得を行う前に画像データの公開に同意するか否かの指定入力を受け、同意する旨の入力を受けた場合にのみ画像データの取得を行う。
これにより、歌唱者自身が自分の顔写真を公表するか否かを選択することができる。
【００１０】
また、上記ランキングデータ生成部は、上記撮影処理部によって歌唱者の画像データの取得が行われなかった場合には、キャラクタ画像を画像データとして用いる。キャラクタ画像とは例えばアバタである。
さらに上記ランキングデータ生成部は、複数の上記キャラクタ画像の中から、演奏した曲の歌手情報、ジャンル情報の少なくとも１つに基づいて１つを選択する。
また、利用者が入力手段を介して入力した情報に基づいて上記キャラクタ画像を作成してもよい。
これにより、写真撮影を行いたくない歌唱者も楽しむことができる。
【００１１】
また、上記ランキングデータ生成部は、上記撮影処理部によって歌唱者の画像データの取得が行われなかった場合には、外部から入力された画像を画像データとして用いる。
これにより、ランキングデータの演出がより多様化される。
【００１２】
また、本発明によるカラオケ装置は、上記送信部は上記全国ランキングデータに含まれるデータのうち、上記集計ランキングデータに含まれないデータのみを上記ランキング集計サーバに送信し、上記受信部は、上記ランキング集計サーバから、上記集計ランキングデータのうち、新たにランキングに加わったデータで、かつ自装置から送信したデータ以外のデータを受信する。
これにより、最小限の通信量により、写真付きの曲目別全国ランキングデータの同期を全国のカラオケ装置間でとることができる。
【００１３】
また、本発明のプログラムは、コンピュータをカラオケ装置として機能させ、上記コンピュータを、記録媒体に記録されたカラオケ用の演奏データの中から、指定された曲の演奏データを再生する演奏データ再生手段、マイクロフォンを介して上記演奏データに合わせて入力される歌唱者の音声信号に基づいて歌唱力を採点し、得点を出力する採点手段、上記採点部によって出力された得点が一定以上の得点圏に入る場合には、撮像装置により歌唱者の画像の取得を行う撮影処理手段、一定以上の得点圏の歌唱者の得点と上記画像データを含むランキングデータを曲毎に生成するランキングデータ生成手段、通信回線を介して接続されたランキング集計サーバから、複数のカラオケ装置から送信されたランキングデータを集計して得られた集計ランキングデータを受信する受信手段、上記集計ランキングデータを基に、全国で一定以上の得点圏内にある歌唱者の得点と上記撮像装置により撮影した写真を含むランキングデータを曲毎に生成する全国ランキングデータ生成手段、上記全国ランキングデータを上記ランキング集計サーバに送信する送信手段、上記ランキングデータおよび上記全国ランキングデータに基づいて、上位ランキング者の得点と上記画像データを表示装置に出力するランキングデータ出力手段として機能させる。
これにより、採点結果を表示する際、最高得点を出した歌い手の顔写真などが表示されてカラオケの対戦ゲームとしての娯楽性が向上する。
【００１４】
また、上記撮影処理手段が、歌唱者の画像データに演奏曲に応じた加工処理を施すようにすれば、より娯楽性が向上する。
【００１５】
また、上記撮影処理手段は、撮影を行う前に写真撮影に同意するか否かの指定入力を受け、撮影に同意する旨の入力を受けた場合にのみ撮影を行う。
これにより、歌唱者自身が自分の顔写真を公表するか否かを選択することができる。
【００１６】
また、上記ランキングデータ生成手段は、上記撮影処理手段によって歌唱者の画像データの取得が行われなかった場合には、キャラクタ画像を画像データとして用いる。キャラクタ画像とは例えばアバタである。
さらに、上記ランキングデータ生成手段は、複数の上記キャラクタ画像の中から、演奏した曲の歌手情報、ジャンル情報の少なくとも１つに基づいて１つを選択する
また、利用者が入力手段を介して入力した情報に基づいて上記キャラクタ画像を作成してもよい。
これにより、写真撮影を行いたくない歌唱者も楽しむことができる。
【００１７】
また、上記ランキングデータ生成手段は、前記撮影処理手段によって写真撮影が行われなかった場合には、写真の代わりに外部から入力された画像データを用いてランキングデータを生成する。
これにより、ランキングデータの演出がより多様化される。
【００１８】
また、上記送信手段は上記全国ランキングデータに含まれるデータのうち、上記集計ランキングデータに含まれないデータのみを上記ランキング集計サーバに送信する。
これにより、最小限の通信量により、写真付きの曲目別全国ランキングデータの同期を全国のカラオケ装置間でとることができる。
【００１９】
本発明によるランキング集計サーバは、通信回線を介して接続された複数のカラオケ装置からランキングデータを受信する受信部と、各々のカラオケ装置から送信された全国ランキングデータを曲毎に集計して集計ランキングデータを出力する集計データ生成部と、上記集計データ生成部によって生成された集計ランキングデータのうち、新たにランキングに加わったデータを抽出する送信データ抽出部と、上記送信データ抽出部で抽出されたデータを、当該データを送信したカラオケ装置以外のカラオケ装置に送信する送信部を備える。
これにより、写真付きの曲目別全国ランキングデータのカラオケ装置への配信を実現することができる。
【００２０】
これにより、最小限の通信量により、集計ランキングデータを全国のカラオケ装置に配信することができる。
【００２１】
さらに、本発明のランキング集計サーバは、上記集計ランキングデータを基に、ウェブサイトで公開可能な形式の、画像データ入りランキングファイルを作成する手段を備える。
これにより、全国ランキングをウェブサイト上でも公開することが可能となる。
【発明を実施するための最良の形態】
【００２２】
以下、本発明の実施例について図面を参照して説明する。
実施例１．
図１は、本発明によるカラオケ装置の構成を示すブロック図である。図に示すように、カラオケ装置１００は、ＣＰＵ１０、ＲＯＭ１１、ＲＡＭ１２、ハードディスク装置（ＨＤＤ）１３、通信制御装置１４、キースイッチコントローラ１５、楽曲再生エンジン１６、ボーカルエフェクトエンジン１７、マイクロフォン１８、ディジタルミキサ１９、音声信号用のディジタル／アナログ（Ｄ／Ａ）変換器２０、アンプスピーカシステム２１、映像テロップエンジン２２、映像信号用のディジタル／アナログ変換器２３、モニタ（表示装置）２４、撮像装置２５を備えている。
【００２３】
ＣＰＵ１０は、所定のプログラムを実行し、システムコントロールバスを介して相互に接続された各部とデータを授受し、カラオケ装置の全体動作を制御する。ＲＯＭ１１は、ＣＰＵ１０において実行されるべきプログラムや、その他各種データなどを格納する。ＲＡＭ１２は、ＣＰＵ１０の動作時にワークメモリとして用いられ、各種データを一時的に記憶する。
【００２４】
ハードディスク装置１３は、楽曲の演奏に用いられる楽曲データや楽曲に関する情報から構成される楽曲情報データ、歌詞などのテロップや背景映像などの表示に用いられる映像データの他、ランキングデータ、全国ランキングデータなどを格納する。楽曲データや映像データは、例えば、図示しないホスト装置から通信回線を通じて配信され、通信制御装置１４を介して取得され、ハードディスク装置１３に記憶される。本実施形態では、楽曲データとして、電子楽譜形式のデータの１つであるＭＩＤＩデータを用いる。ＭＩＤＩデータには、楽曲の演奏に必要な楽譜情報、音色情報、テンポ情報など各種の演奏情報が含まれている。このＭＩＤＩデータとＭＩＤＩ音源とを用いて、楽曲演奏のための音声信号（楽曲信号）が生成される。
また、全国ランキングデータは、ランキング集計サーバ２００から通信回線を通じて配信され、通信制御装置１４を介して取得され、ハードディスク装置１３に記憶される。
【００２５】
通信制御装置１４は、カラオケ装置とホスト装置やランキング集計サーバとの間のデータの送受信を行う装置であり、Ｉ／Ｏインタフェースとしての機能も有している。
【００２６】
キースイッチコントローラ１５は、図示しないリモコンや操作パネル等を用いて利用者により行われる入力操作に基づく制御を行う。例えば、利用者によって希望の楽曲の番号等が指定されると、当該操作指示の内容がキースイッチコントローラ１５を介してＣＰＵ１０に供給される。この場合に、ＣＰＵ１０は、必要な楽曲データ及び映像データをハードディスク装置１３から読み出し、楽曲データを楽曲再生エンジン１６に、映像データを映像テロップエンジン２２にそれぞれ供給する。また、利用者による楽曲の演奏時のテンポの変更操作についてもこのキースイッチコントローラ１５を用いて行われる。
【００２７】
楽曲再生エンジン１６は、ハードディスク装置１３から取得される楽曲データに基づいて楽曲音声信号を生成する。本実施形態の楽曲再生エンジン１６はＭＩＤＩ音源を備えており、ＭＩＤＩデータに基づいて当該ＭＩＤＩ音源を駆動して楽曲を再生し、ディジタル楽曲信号を生成する。
ボーカルエフェクトエンジン１７は、マイクロフォン１８を介して入力される音声信号に対してディジタル処理を施し、エコー効果の付与やノイズ除去等の音質調整を行う。
【００２８】
ディジタルミキサ１９は、楽曲再生エンジン１６から出力されるディジタル楽曲信号と、ボーカルエフェクトエンジン１７から出力されるディジタル音声信号とを混合する。ディジタルミキサ１９によって生成されるディジタル信号がディジタル／アナログ変換器２０によってアナログ信号に変換され、アンプスピーカシステム２１に出力されることによって楽曲の演奏音とボーカルエフェクトエンジン１７によって音響処理がなされた歌唱者の歌声の音響出力がなされる。
【００２９】
映像テロップエンジン２２は、ハードディスク装置１３から取得される映像データに基づいて、歌詞などのテロップや背景映像などの表示を行うためのディジタル映像信号を生成する。例えば、ハードディスク装置１３に格納される映像データとしてＭＰＥＧ形式のデータが用いられている場合であれば、映像テロップエンジン２２は、当該ＭＰＥＧデータをデコードする処理を行う。映像テロップエンジン２２によって生成されるディジタル映像信号がディジタル／アナログ変換器２３によってアナログ信号に変換され、モニタ２４に出力されることによって背景映像やテロップの表示がなされる。
撮像装置２５は、例えばデジタルカメラであり、撮影対象の画像を取得し、画像データを出力する。
【００３０】
図２は、本発明によるカラオケ装置１００の機能構成を示すブロック図である。図に示すように、カラオケ装置１００は、演奏データ再生部１０１、採点部１０２、撮像装置２５、撮影処理部１０３、ランキングデータ生成部１０４、ランキングデータ記憶部１０５、全国ランキングデータ生成部１０６、全国ランキングデータ記憶部１０７、送信部１０８、受信部１０９、ランキングデータ出力部１１０を有する。
演奏データ再生部１０１、採点部１０２、撮影処理部１０３、ランキングデータ生成部１０４、全国ランキングデータ生成部１０６、ランキングデータ出力部１１０はＲＯＭ１１に格納され、ＣＰＵ１０が実行するプログラムのモジュールに対応する。
ランキングデータ記憶部１０５、全国ランキングデータ記憶部１０７はハードディスク装置１３に含まれる。送信部１０８、受信部１０９は通信制御装置１４に含まれる。
【００３１】
図３は、本発明によるランキング集計サーバ２００の概略構成を示すブロック図である。
図に示すように、ランキング集計サーバ２００は、集計データ生成部２０１、送信データ抽出部２０２、送信部２０３、受信部２０４、受信データ記憶部２０５、送信データ記憶部２０６、全国ランキングデータ記憶部２０７、ウェブページ作成部２０８を備えている。
集計データ生成部２０１、送信データ抽出部２０２、送信部２０３、受信部２０４、ウェブページ作成部２０８は、プログラムに従ってランキング集計サーバ２００のプロセッサが行う動作のモジュールを表しており、これらは実際には一体としてランキング集計サーバ２００のプロセッサを構成する。
また、受信データ記憶部２０５、送信データ記憶部２０６、全国ランキングデータ記憶部２０７は、ランキング集計サーバ２００のメモリやハードディスク等の記憶装置に対応する。
【００３２】
次に、カラオケ装置１００の動作について説明する。
図４は、カラオケ装置１００の動作のフローチャートである。
まず、演奏曲が予約されている場合には（ステップ４０１）、演奏データ再生部１０１により指定された曲の演奏データが再生される（ステップ４０２）。
演奏データの再生終了後、採点部１０２は、マイクロフォン１８から入力される歌唱者の音声を採点し得点を算出する（ステップ４０３）。
次に、採点部１０２から得点が出力されると、撮影処理部１０３は算出された得点があらかじめ定められた足きり点以上か否かを判定する（ステップ４０４）。
【００３３】
ステップ４０４で得点が足きり点以上であると判定された場合には、ステップ４０５へ進む。足きり点に満たない場合には、ランキングデータ出力部１１０は当該曲の現在の装置内および全国ランキングをモニタ２４に表示し（ステップ４１３）、ステップ４０１へ戻り、次の指定曲がある場合には演奏データを再生する。
ステップ４０５では、撮影処理部１０３は全国ランキングデータ記憶部１０７を参照し、算出された得点が全国ランキングで一定の得点圏に入っているか否かを判定する。具体的には、例えば当曲目の全国ランキングで１０位以内の成績であるか否かを判定する。
【００３４】
ステップ４０５において、全国ランキングで一定以上の成績であると判定された場合にはステップ４０７へ進む。一方、一定の成績を満たしていない場合には、ステップ４０６へ進む。
ステップ４０６では、撮影処理部１０３はランキングデータ記憶部１０５を参照し、算出された得点が当カラオケ装置内でのランキングで一定の得点圏に入っているか否かを判定する。具体的には、例えば当曲目のランキングで１０位以内の成績であるか否かを判定する。
【００３５】
ステップ４０６において、装置内のランキングで一定以上の成績であると判定された場合にはステップ４０７へ進む。一方、一定の成績を満たしていない場合には、ランキングデータ出力部１１０は当該曲の現在の装置内および全国ランキングをモニタ２４に表示し（ステップ４１３）、ステップ４０１へ戻り、次の指定曲がある場合には演奏データを再生する。
【００３６】
ステップ４０７では、撮影処理部１０３は、モニタ２４に写真撮影を行うことに同意するか否かの確認画面を表示させる。図５は、確認画面の例である。図に示すように、全国レベル、部屋レベルでの順位と、写真撮影に同意するかどうかの確認を表示すると共に、写真が何に利用されるかを明確に表示する。歌唱者は、リモコンや操作パネル等を用いて同意するか否かの入力操作を行い、操作の内容がキースイッチコントローラ１５を介して撮影処理部１０３に供給される。撮影処理部１０３は、入力内容が撮影同意の場合には撮像装置２５を制御して歌唱者の写真撮影を行う（ステップ４０８）。この際、モニタ２４に図６に示すような画面を表示し、撮影を実行する。撮影は、利用者がリモコンや操作パネル等を操作することにより実行するようにしてもよい。また、撮像装置２５をリモコンや操作パネルに備えるようにしてもよい。
なお、顔写真には、曲のイメージに対応した背景画像を入れるなどの加工処理を施すようにしてもよい。カラオケ装置１００は、楽曲情報データとして楽曲の歌手情報、楽曲のジャンル情報を有しており、撮影処理部１０３は、歌手情報、ジャンル情報のうちの少なくとも１つに基づいて加工処理を施す。
写真撮影が終了したら、モニタ２４に氏名入力画面を表示し、リモコンや操作パネル等の操作による氏名、イニシャル、ニックネーム等の入力操作を可能とする（ステップ４０９）。
【００３７】
次に、ランキングデータ生成部１０４はランキングデータを生成し、ランキングデータ記憶部１０５に格納する（ステップ４１０）。
次に、全国ランキングデータ生成部１０６は全国ランキングデータを生成し、全国ランキングデータ記憶部１０７に格納する（ステップ４１１）。
図７は、ランキングデータおよび全国ランキングデータの構成を示す図である。
図に示すように、ランキングデータおよび全国ランキングデータは、曲番号毎に上位（ここでは１０位まで。）の得点データを有する。１件の得点データには、得点、日付、地域コード、氏名またはイニシャル、顔写真が含まれる。
【００３８】
ランキングデータ出力部１１０は、更新された装置ごとのランキングデータと全国ランキングデータをモニタ２４に出力する（ステップ４１２）。
その後、ステップ４０１へ戻り、次の指定曲がある場合には演奏データを再生する。
【００３９】
次に、図８のフローチャートを用いて、ランキング集計サーバ２００と全国のカラオケ装置１００との間で、全国ランキングデータの同期を取る処理について説明する。この処理は定期的に実行され、例えば日次処理として１日の終わりに１回行われる。
カラオケ装置１００の送信部１０８は、全国ランキングデータ記憶部１０７に格納された全国ランキングデータのうち、ランキング集計サーバ２００に前回の処理時に未送信のデータのみをランキング集計サーバ２００へ送信する（ステップ８０１）。
【００４０】
ランキング集計サーバ２００は、全国のカラオケ装置１００から送信されてきた全国ランキングデータを受信部２０４において受信し、受信データ記憶部２０５に格納する（ステップ８１１）。
次に、ランキング集計サーバ２００は、集計データ生成部２０１において、受信データ記憶部２０５に格納された全国のカラオケ装置１００からのランキングデータと、全国ランキングデータ記憶部２０７に格納された前回集計時の全国ランキングデータに基づいて集計処理を行い、最新の曲別全国ランキングデータを生成し、全国ランキングデータ記憶部２０７の全国ランキングデータを更新する（ステップ８１２）。
【００４１】
次に、送信データ抽出部２０２は、ステップ８１２で生成した最新の全国ランキングデータと、受信データ記憶部２０５に格納された各々のカラオケ装置１００から送信されたランキングデータを比較し、各カラオケ装置１００に配信すべきデータを抽出する（ステップ８１３）。各カラオケ装置１００へ配信すべきデータとは、新たに全国ランキングデータに加わった得点データの中から、自装置が送信したデータを除いたものである。
【００４２】
次に、送信部２０３は、ステップ８１３で抽出されたデータをそれぞれのカラオケ装置へ送信する。
カラオケ装置１００の受信部１０９は、ランキング集計サーバ２００から送信された集計データを受信する（ステップ８０２）。
全国ランキングデータ生成部１０６は、受信した集計データを基に全国ランキングデータ記憶部１０７内に格納された全国ランキングデータを更新する（ステップ８０３）。
【００４３】
図９を用いて、ランキング集計サーバ２００とカラオケ装置１００の間でのランキングデータのやり取りを具体的に説明する。ここでは、ランキングデータは曲ごとに５位の得点まで保持することとする。表９０１は前日の配信直後のある曲目の全国ランキングデータである。その後、カラオケ装置Ａにおいては当該曲目について９８１点が出たため、カラオケ装置Ａにおける全国ランキングデータは表９０２に示すようになる。一方、カラオケ装置Ｂにおいては９５５点と９６５点が出たためカラオケ装置Ｂにおける全国ランキングデータは表９０３のようになる。
日次処理の際、カラオケ装置Ａは前回の処理時に未送信である、９８１点のデータのみをランキング集計サーバ２００へ送信する。同様に、カラオケ装置Ｂは９５５点と９６５点のデータのみをランキング集計サーバ２００へ送信する。
【００４４】
ランキング集計サーバ２００の集計データ生成部２０１は、前回更新時の全国ランキングデータ（表９０１）とカラオケ装置Ａおよびカラオケ装置Ｂから送信された得点データを合わせて集計し、新たな全国ランキングデータとして装置Ａからの９８１点のデータと装置Ｂからの９６５点のデータがランクインすることが確定する（表９０４）。
次に、送信データ抽出部２０２は、各カラオケ装置に送信すべきデータを抽出する。新たにランキングに追加された２件のデータのうち、カラオケ装置Ａから送信されたのは９８１点のデータなので、カラオケ装置Ａには９６５点のデータのみが送信される。同様に、カラオケ装置Ｂから送信されたのは９６５点のデータなのでカラオケ装置Ｂには９８１点のデータのみが送信される。
【００４５】
カラオケ装置Ａは、ランキング集計サーバ２００から９６５点のデータを受信すると、自装置内に持つ全国ランキングデータを更新する。この場合、表９０２に示すランキングデータに９６５点のデータが加わり、表９０５に示す新たな全国ランキングデータが得られる。同様に、カラオケ装置Ｂでも、表９０３に示す自装置内のランキングデータに９８１点のデータが加わり、表９０６に示す新たなランキングデータが得られる。このように、ランキング集計サーバ２００（表９０４）、カラオケ装置Ａ（表９０５）、カラオケ装置（表９０６）で全国ランキングデータの同期を取ることができる。
【００４６】
また、ランキング集計サーバ２００は、ウェブページ作成部２０８において、ステップ８１２で更新した全国ランキングデータ記憶部２０７の全国ランキングデータを基に、ウェブサイト上で公開可能なＨＴＭＬ形式のファイルを作成する（ステップ８１５）。作成されたウェブページはサイト上で公開され、写真付きの曲別全国ランキングがウェブ上で閲覧可能となる。
【００４７】
実施例２．
実施例２では、ランキングデータ生成時に歌唱者から写真撮影の同意が得られなかった場合に、歌唱者に見立てたキャラクタ画像を代わりに登録する。図４のステップ４０７で写真撮影の同意が得られなかった場合、ランキングデータ生成部１０４および全国ランキングデータ生成部１０６は、ランキングデータの顔写真登録領域にアバタを登録する。
登録するアバタは、ＲＯＭ１１に複数パターン記憶されており、ランキングデータ生成部１０４および全国ランキングデータ生成部１０６は、この中から１つのアバタを選択して登録する。カラオケ装置１００は、楽曲情報データとして楽曲の歌手情報、楽曲のジャンル情報を有しており、ランキングデータ生成部１０４および全国ランキングデータ生成部１０６は、この歌手情報、ジャンル情報のうちの少なくとも１つに基づいてアバタを選択する。
また、歌唱者の性別を入力させ、性別に対応したアバタを選択してもよい。
【００４８】
また、演奏者が好みに応じたアバタを作成できるようにしてもよい。この場合、利用者がリモコンや操作パネル等を用いてアバタのパーツ等を選択できるようにしてもよい。
【００４９】
さらに、撮像装置２５で撮影する写真の代わりに、外部から入力した画像データを登録できるようにしてもよい。例えば、利用者の携帯電話で撮影した写真をカラオケ装置１００に送信できるようにしてもよい。
【図面の簡単な説明】
【００５０】
【図１】本発明によるカラオケ装置のハードウェア構成を示すブロック図である。
【図２】本発明によるカラオケ装置の機能構成を示すブロック図である。
【図３】本発明によるランキング集計サーバの機能構成を示すブロック図である。
【図４】本発明によるカラオケ装置の動作のフローチャートである。
【図５】本発明による写真撮影確認画面の例を示す図である。
【図６】本発明による写真撮影画面の例を示す図である。
【図７】本発明によるランキングデータの構成例を示す図である。
【図８】本発明によるカラオケ装置とランキング集計サーバの動作のフローチャートである。
【図９】本発明によるランキング集計サーバとカラオケ装置の間でのランキングデータのやり取りを具体的に説明する図である。
【符号の説明】
【００５１】
１１  ＲＯＭ、１２  ＲＡＭ、１３  ハードディスク装置、１４  通信制御装置、１５  キースイッチコントローラ、１６  楽曲再生エンジン、１７  ボーカルエフェクトエンジン、１８  マイクロフォン、１９  ディジタルミキサ、２０  ディジタル／アナログ変換器、２１  アンプスピーカシステム、２２  映像テロップエンジン、２３  ディジタル／アナログ変換器、２４  モニタ、２５  撮像装置、１００  カラオケ装置、１０１  演奏データ再生部、１０２  採点部、１０３  撮影処理部、１０４  ランキングデータ生成部、１０５  ランキングデータ記憶部、１０６  全国ランキングデータ生成部、１０７  全国ランキングデータ記憶部、１０８  送信部、１０９  受信部、１１０  ランキングデータ出力部、２００  ランキング集計サーバ、２０１  集計データ生成部、２０２  送信データ抽出部、２０３  送信部、２０４  受信部、２０５  受信データ記憶部、２０６  送信データ記憶部、２０７  全国ランキングデータ記憶部、２０８  ウェブページ作成部
【図１】
2006337964.tif 000003
【図２】
2006337964.tif 000004
【図３】
2006337964.tif 000005
【図４】
2006337964.tif 000006
【図５】
2006337964.tif 000007
【図６】
2006337964.tif 000008
【図７】
2006337964.tif 000009
【図８】
2006337964.tif 000010
【図９】
2006337964.tif 000011